(57)【特許請求の範囲】
【請求項１】
投入ラッチを回転させることにより接点が投入され、上記投入ラッチがインターロックレバーと係合したとき、上記投入ラッチの回転が阻止されるようにした開閉器において、上記インターロックレバーに上記投入ラッチが係合して、上記投入ラッチの回転を阻止した係合状態に対応した第１の係止部と、上記投入ラッチと上記インターロックレバーとの係合が解除されて、上記投入ラッチが回転可能な解除状態に対応した第２の係止部とを上記インターロックレバーに形成し、弾性を有する係止体の保持部が上記第１の係止部と係止して上記係合状態を保持し、上記保持部が上記第２の係止部と係止して上記解除状態を保持するようにしたことを特徴とする開閉器。
【請求項２】
第１の係止部と第２の係止部とをそれぞれ所定の大きさの穴として、係止体の保持部を突状に形成し、上記保持部が上記各穴に嵌合可能にしたことを特徴とする請求項１に記載の開閉器。
【請求項３】
インターロックレバーに係合された操作レバーと、この操作レバーを回動自在に支持したレバー軸と、上記操作レバーを投入ラッチと上記インターロックレバーとの係合状態の方向に回転させる第１のソレノイドコイルと、上記操作レバーを投入ラッチと上記インターロックレバーとの係合が解除される解除状態の方向に回転させる第２のソレノイドコイルとを設けたことを特徴とする請求項１又は請求項２に記載の開閉器。
【発明の詳細な説明】
【０００１】
【発明の属する技術分野】
この発明は、インターロック機構を備えた遮断器や断路器等の開閉器に関するものである。
【０００２】
【従来の技術】
図４は従来のインターロック機構を備えた遮断器を示す構成図である。図４において、遮断器の投入時には投入指令により投入ラッチ１がラッチ軸を中心にして時計方向に回転する。これにより接点３が閉じられて投入状態となる。
ここで、インターロックレバー４が仮想線で示すようにＡ位置に持ち上げられていれば、投入ラッチ１はインターロックレバー４に係止されて時計方向への回転が阻止される。従って、接点３が閉じられないので、遮断器の投入が防止される。
次に断路状態にする場合について説明する。図５は動作状態を示す説明図である。図４及び図５において、図５（ａ）に示すように接点３が開状態で、ジャンクション５ａ，５ｂと盤側端子６ａ，６ｂとが接続状態にある接続位置にある。このとき、本体９側のインターロックレバー４は復帰ばね７に押圧されて、固定側のインターロック板８のガイド穴８ａと係合されている。
また、接点３が投入されている状態ではインターロックレバー４とインターロック板８のガイド穴８ａとの係合が解除できないように別途構成され、接点３の開閉状態が確認できるようにされている。これにより、本体９を引き出している途中での投入を阻止している。
【０００３】
ここで、図５（ｂ）に示すように接点３が開状態で、インターロックレバー４を持ち上げてインターロック板８のガイド穴８ａとの係合を解除して、本体９を図４の図示左方へ引き出す。このとき、インターロックレバー４は復帰ばね７によりインターロック板８に押圧されて、ガイド穴８ａとの係合が解除された状態を保持している。従って、インターロックレバー４は図４のＡ位置にあるので、インターロックレバー４と投入ラッチ１とが係合状態のため、接点３の投入が防止される。続いて、本体９を引き出すと、図５（ｃ）に示すように復帰ばね７に押圧されたインターロックレバー４がインターロック板８のガイド穴８ｂに嵌合される。これにより、ジャンクション５ａ，５ｂと盤側端子６ａ，６ｂとの間の絶縁距離が充分とれて断路状態となる。
【０００４】
【発明が解決しようとする課題】
従来の開閉器は以上のように構成されているので、本体９を引き出す移動途中ではインターロックレバー４と投入ラッチ１との係合状態を、固定側のインターロック板８により保持する必要があるため、構成が複雑であるという問題点があった。
この発明は、構成を簡易化することができる開閉器を提供することを目的とするものである。
【０００５】
【課題を解決するための手段】
この発明に係わる開閉器は、投入ラッチを回転させることにより接点が投入され、投入ラッチがインターロックレバーと係合したとき、投入ラッチの回転が阻止されるようにした開閉器において、インターロックレバーに投入ラッチが係合して、投入ラッチの回転を阻止した係合状態に対応した第１の係止部と、投入ラッチとインターロックレバーとの係合が解除されて、投入ラッチの回転が可能な解除状態に対応した第２の係止部とをインターロックレバーに形成し、弾性を有する係止体の保持部が第１の係止部と係止して係合状態を保持し、保持部が第２の係止部と係止して解除状態を保持するようにしたものである。
また、第１の係止部と第２の係止部とをそれぞれ所定の大きさの穴として、係止体の保持部を突状に形成し、保持部が各穴に嵌合可能にしたものである。
さらに、インターロックレバーに係合された操作レバーと、この操作レバーを回動自在に支持したレバー軸と、操作レバーを投入ラッチとインターロックレバーとの係合状態の方向に回転させる第１のソレノイドコイルと、操作レバーを投入ラッチとインターロックレバーとの係合が解除される解除状態の方向に回転させる第２のソレノイドコイルとを設けたものである。
【０００６】
【発明の実施の形態】
実施の形態１．
図１は実施の形態１を示す構成図である。図１において、１０は遮断器や断路器等の開閉器の接点、１１はラッチ軸１２で回転自在に支持された投入ラッチで、図示の時計方向に回転することにより接点１０が投入される。１３は上下方向に移動可能なインターロックレバーで、貫通穴からなる第１の係止部１３ａと、第１の係止部１３ａの上部に貫通穴からなる第２の係止部１３ｂと、両係止部１３ａ，１３ｂの間に中間部１３ｃとが形成されている。さらに、インターロックレバー１３には上下方向に移動させるための把持部１３ｄが形成されている。１４はインターロックレバー１３に固着された当接体で、インターロックレバー１３の上下方向の移動距離を設定する。１５，１６はガイドで、インターロックレバー１３の上下方向の動きを案内する。１７は第１の係止部１３ａ及び第２の係止部１３ｂと係合可能な保持部１７ａが形成された弾性を有する板ばねからなる係止体で、保持部１７ａが第１の係止部１３ａと係止状態にあるとき、Ａの位置にあって投入ラッチ１１とインターロックレバー１３とが係合されて、投入ラッチ１１の回転を阻止した係合状態を保持する。そして、保持部１７ａが第２の係止部１３ｂと係止状態にあるとき、投入ラッチ１１とインターロックレバー１３との係合が解除されて、投入ラッチ１１の回転が可能な解除状態を保持するように構成されている。１８，１９は当接体１４と当接可能なストッパで、投入ラッチ１１とインターロックレバー１３との係止状態又は解除状態の位置を設定する。
【０００７】
次に接点の投入動作について説明する。図１において、係止体１７の保持部１７ａがインターロックレバー１３の第２の係止部１３ｂと係止されて、投入ラッチ１１とインターロックレバー１３との係合が解除された状態で、投入指令により投入ラッチ１１がラッチ軸１２と中心にして時計方向に回転する。投入ラッチ１１の回転により接点１０が閉じられて投入状態となる。なお、接点１０の投入状態ではインターロックレバー１３の上方向への移動が阻止されるように別途構成されている。
ここで、接点１０が遮断指令により開くと、断路状態に必要な耐圧性能を有する状態となり、インターロックレバー１３の上方向の移動が可能になる。
この状態において、保持部１７ａが第２の係止部１３ｂと係止されている。このとき、中間部１３ｃは係止体１７の弾性力により図２（ａ）に示すように矢印２０の方向に押されているので、矢印２０ａに示す押圧力成分により下方向に押圧されて、図１に示すように当接体１４がストッパ１９に当接している。この状態において、把持部１３ｄを持ってインターロックレバー１３を上方向に移動させると、図２（ａ）に示すように中間部１３ｃは係止体１７弾性力によって矢印２０の方向に押圧力を受けながら、図３（ｂ）に示すように保持部１７ａの頂点に到達し、係止体１７を矢印２２の方向に押圧する。
【０００８】
そして、保持部１７ａの頂点を越えた中間部１３ｃは、図３（ｃ）に示すように係止体１７を矢印２３の方向に押すと共に、係止体１７から矢印２４の方向の押圧力を受ける。従って、中間部１３ｃが保持部１７ａの頂点を越えると、係止体１７の弾性力による上方向の押圧力成分（矢印２４ａ）により押圧されて、保持部１７ａが第２の係止部１３ｂと係止されると共に当接体１４がストッパ１８に当接している。これにより投入ラッチ１１とインターロックレバー１３との係合状態が保持されるので、投入ラッチ１１が時計方向の回転が阻止されるため、接点１０の投入ができない。なお、中間部１３ｃが保持部１７ａの頂点を越えるまでにインターロックレバー１３を上げる操作を中止すると、係止体１７の矢印２０ａの押圧力成分により、保持部１７ａが第２の係止部１３ｂに係止された状態に戻る。
投入ラッチ１１とインターロックレバー１３との係合状態から、係合を解除した解除状態にするときの動作は、インターロックレバー１４を下方向に移動させることにより、投入ラッチ１１とインターロックレバー１３との係合を行うときの逆の動作により同様にできる。
以上のように、弾性を有する係止体１７の保持部１７ａがインターロックレバー１３の第１の係止部１３ａと係止して係合状態を保持し、保持部１７ａがインターロックレバー１３の第２の係止部１３ｂと係止して解除状態を保持するようにしたことにより、構成を簡易化することができる。
【０００９】
実施の形態２．
図３は実施の形態２を示す構成図である。図３において、１０〜１９は実施の形態１のものと同様のものである。２０は一端がインターロックレバー１３の係合穴１３ｅに係合された操作レバーで、インターロックレバー１３を上下方向に移動可能なようにレバー軸２１により回動自在に支持されている。２２は操作レバー２０の他端を駆動する第１のソレノイドコイルで、操作レバー２０を投入ラッチ１１とインターロックレバー１３とが係合状態になる方向に駆動する。２３は操作レバー２０の他端を駆動する第２のソレノイドコイルで、操作レバー２０を投入ラッチ１１とインターロックレバー１３との係合が解除される解除状態になる方向に駆動する。
【００１０】
次に動作について説明する。図３において、保持部１７ａがインターロックレバー１３の第２の係止部１３ｂと係止されている状態で、インターロックレバー１３を上げるために第１のソレノイドコイル２２が励磁されると、第１のソレノイドコイル２２に駆動された操作レバー２０を介してインターロックレバー１３が上方向に押し上げられる。以後の動作は実施の形態１と同様に図２に従って動作して保持部１７ａが第１の係止部１３ａと係止する。また、保持部１７ａが第１の係止部１３ａと係止されている状態で、第２のソレノイドコイル２３が励磁されると、インターロックレバー１３が下方向に押し上げられる。以下の動作は実施の形態１と同様である。
以上のように、第１のソレノイドコイル２２又は第２のソレノイドコイル２３でインターロックレバー１３に係合された操作レバー２０を駆動して、投入ラッチ１１とインターロックレバー１３との係合状態、又は投入ラッチ１１とインターロックレバー１３との係合解除状態とにすることにより、電動操作を容易に行うことができる。
実施の形態１及び実施の形態２において、係止体１７は弾性を有する板ばねで形成したものについて説明したが、つる巻ばねで形成しても同様の効果を期待することができる。
【００１１】
【発明の効果】
この発明によれば、弾性を有する係止体の保持部がインターロックレバーの第１の係止部と係止して係合状態を保持し、保持部がインターロックレバーの第２の係止部と係止して解除状態を保持するようにしたことにより、構成を簡易化することができる。
また、第１の係止部と第２の係止部とをそれぞれ所定の大きさの穴として、係止体の保持部を突状に形成し、保持部が各穴に嵌合可能にしたことにより、構造を簡単にすることができる。
さらに、第１のソレノイドコイル又は第２のソレノイドコイルでインターロックレバーに係合された操作レバーを駆動して、投入ラッチとインターロックレバーとの係合状態、又は投入ラッチとインターロックレバーとの係合解除状態とにすることにより、電動操作を容易に行うことができる。
【図面の簡単な説明】
【図１】  この発明の実施の形態１を示す構成図である。
【図２】  図１の動作を示す説明図である。
【図３】  この発明の実施の形態２を示す構成図である。
【図４】  従来のインターロック機構を備えた遮断器を示す構成図である。
【図５】  図４の動作状態を示す説明図である。
【符号の説明】
１０  接点、１１  投入ラッチ、１３  インターロックレバー、
１３ａ  第１の係止部、１３ｂ  第２の係止部、１７  係止体、
１７ａ  保持部、２０  操作レバー、２２  第１のソレノイドコイル、
２３  第２のソレノイドコイル。
【図１】
0004454178.tif 000002
【図２】
0004454178.tif 000003
【図３】
0004454178.tif 000004
【図４】
0004454178.tif 000005
【図５】
0004454178.tif 000006